(57)【要約】【課題】  本発明は、立ち座りを補助する用具に係り、特に狭いトイレ室内において、窓や装飾品やトイレ機器関係の操作器具などの設置状況にかかわらず、使用者に使い勝手のよい手すり機能を備えた手洗器を提供することを課題とする。【解決手段】  上記課題を解決するために、本発明はトイレ内に配設する水栓とボウル部を備えたトイレ内手洗器において、前記水栓は下端がボウル部に固定されるとともに、上端が壁に固定されるような構成にした。【選択図】  図１
2005264544.tif 000002
【特許請求の範囲】
【請求項１】
トイレ内に配設する水栓とボウル部を備えたトイレ内手洗器において、前記水栓は下端がボウル部に固定されるとともに、上端が壁に固定されていることを特徴とするトイレ内手洗器。
【請求項２】
前記水栓の一部を凹凸形状としたことを特徴とする請求項１記載のトイレ内手洗器。
【請求項３】
前記水栓の上部には曲がり部が設けられており、前記前記水栓は前記曲がり部を介して壁と固定されていることを特徴とする請求項１または２記載のトイレ内手洗器。
【発明の詳細な説明】
【技術分野】
【０００１】
本発明は、水栓に手すり機能を持たせたトイレ内手洗器に関する発明である。
【背景技術】
【０００２】
従来のトイレ室内用手すりは、立ち座りの補助用に縦一本の直線状の棒が、また、前後移動用あるいは排便行為時の姿勢保持用に直線状の横一本の棒が設置されているものが提案されている。（例えば、特許文献１参照。）。
【特許文献１】特開平１０−１２１６９１号公報（第１図）
【０００３】
ところがこのような場合、手すりが壁面に固定される為、壁面への窓や装飾品やトイレ機器関係の操作器具などの設置状況により、本来手すりを設置すべき位置に手すりを取り付けられないといった支障をきたす場合があった。
また従来品では上記理由により手洗い行為の際に、体を補助する手すり等を手洗器や洗面器周辺に近接設置出来ない為、手洗器本体や正面の壁もしくは鏡に体をあずける手洗い姿勢をとらざるをえなかった。この際、体力の低下している高齢者や障害者等では手を滑らせ転倒してしまう危険があった。
【発明の開示】
【発明が解決しようとする課題】
【０００４】
特許文献１に記載された手すりは、設置する為に専用のスペース（壁面）を必要とする。一方、一般的なトイレの奥行きは柱の心-心で３／４間が多く、壁内寸では１２３５ｍｍ程度の広さしかない。
この様な狭い空間であるトイレ内に手洗器と手すりを設置しようとした場合、その設置面は限られ、結果として本来手すりを設置したい場所に手すりを設置することができずに、手すりの使い勝手が悪くなるといった支障がでていた。
【課題を解決するための手段】
【０００５】
請求項１記載の発明は、トイレ内に配設する水栓とボウル部を備えたトイレ内手洗器において、前記水栓は下端がボウル部に固定されるとともに、上端が壁に固定されていることを特徴とする。
【０００６】
請求項２記載の発明は、前記水洗の一部を凹凸形状としたことを特徴とする。
【０００７】
請求項３記載の発明は、前記水洗の上部には曲がり部が設けられており、前記前記水洗は前記曲がり部を介して壁と固定されていることを特徴とする。
【発明の効果】
【０００８】
請求項１記載の発明によれば、陶器にセットされる水栓に手すり機能を持たせることで壁面への手すり単独設置スペースを不要とし、壁面への窓や装飾品やトイレ機器関係の操作器具などの設置状況に関わらず、狭いトイレにおいても使い勝手の良い位置に手すりを提供することができる。また、水洗自体を手すりとして利用した場合、人体を支えるために過剰な負荷がかかる場合があっても、水栓の上端を壁に固定しているため十分な強度を持たせることができる。
【０００９】
また、請求項２記載の発明によれば、水栓の一部を凹凸形状にしたことにより、すべり止めの作用が付加されるため、手すりとしての機能を向上することができる。
【００１０】
また、請求項３記載の発明によれば、前記水栓の上部には曲がり部が設けられており、前記前記水栓は前記曲がり部を介して壁と固定されているため、大便器への立ち座り行為のみでなく、立った状態で手洗器を利用する際にも手すりの機能を備えた手洗器を提供することができる。
【発明を実施するための最良の形態】
【００１１】
本発明を実施するための最良の形態を添付図に基づいて以下に説明する。
一般的なトイレの奥行きは柱の心−心で３／４間が多く壁内寸では１２３５ｍｍ程度の広さしかない。
この様な狭い空間であるトイレ内に手洗器と手すりを設置しようとした場合、その設置面は限られ、結果として本来手すりを設置したい場所に手すりを設置することができずに、手すりの使い勝手が悪くなるといった支障がでていた。
そこで請求項１にあげる手すり機能を兼ねたトイレ内水栓においては、手すりと水栓を両立させる構造となっており、手すり単独での専用スペースを必要としない為、壁に有効なスペースを確保できる。また、請求項２であげる手すり機能を兼ねたトイレ内水栓においては本体部に凹凸を設け、すべり止めとしての機能を備えているので、安全につかむことができる。また、請求項３であげる手すり機能を兼ねたトイレ内水栓においては、壁固定部より傾斜させ取付けられており、立ち状態での姿勢保持を楽に行える。
【実施例】
【００１２】
本発明の実施例１に基づいて構造を詳しく説明する。図１のように、給水経路を有し且つすべり止め用の凹凸を設けた水栓本体部４と給止水レバー３を一体構造とし、さらに凹凸を設けた曲がり部２を組合せ、手洗器５及び壁６と固定される構造となっている。ここで、図４に示すように、水栓本体部４に凹凸を設けた場合、立ち座りの動作をする際に水栓本体部４を持って立ち座りを行うため、凹凸がすべり止めの作用をもち、使い勝手がよい。また、凹凸は曲がり部２に設けてもよく（図示せず）この場合、図５に示すように立ったまま手洗器５を使用する際に使い勝手がよくなる。
【００１３】
図２及び図３に示しているように、曲がり部２には鍵穴状の突起８を設け、壁固定部１及び手すり固定部７へ取付け固定されており全体としてはＬ字形状のものである。
また、壁固定部１においてはビス９により壁６に固定され、手洗器５においてはボルト１０及びナット１１により陶器に固定されている。
【００１４】
図４に使用例１を示す。図１のように水栓本体部４に曲がり部２を継ぎ足し壁固定部１で壁に固定することにより、壁からの距離を延長することができるため、３／４間口においても使い勝手のよい位置に手すり機能をもたせることができる。
【００１５】
図５に使用例２を示す。図５に示すように、立った状態で楽に握る事ができる様に、
曲がり部２は壁側から水栓側へ傾斜しており、楽に手洗い行為を行うことができる。
【図面の簡単な説明】
【００１６】
【図１】トイレ内手すりの実施例１を示す図である。
【図２】トイレ内手すりの構造を示す図である。
【図３】トイレ内手すりの固定方法を示す図である。
【図４】トイレ内手すりの使用例１を示す図である。
【図５】トイレ内手すりの使用例２を示す図である。
【符号の説明】
【００１７】
１…壁固定部
２…曲がり部
３…給止水用レバー
４…水栓本体部
５…手洗器
６…壁
７…手すり固定部
８…鍵穴状の突起
９…ビス
１０…ボルト
１１…ナット
【図１】
2005264544.tif 000003
【図２】
2005264544.tif 000004
【図３】
2005264544.tif 000005
【図４】
2005264544.tif 000006
【図５】
2005264544.tif 000007